(57)【要約】  進歩性があり、実用的な使用代替案および適用法を提供する、製品を最速で冷却または冷凍する産業にも適用できる家電製品であって、例えば飲料または食品などの製品をわずか数分で急速に冷却できる家電製品（１）。この場合、本家電製品（１）に内蔵されたガス（２６）をフィルタリングする、進歩性のある二重フィルタリングシステムが含まれ、このシステムは、蒸発用蛇管（１３）から出る導管に特別に組み立てられ、冷却工程時間に最大の速度を生み出して、冷却サイクル時間を８分の１の速さまで短縮する。本特許で言及した本家電製品（１）に内蔵される二重フィルタリングシステム（２６）は、最速で冷却するために不可欠なものである。【選択図】図６
2014505852.tif 000002
【特許請求の範囲】
【請求項１】
断湿性で耐火性の絶縁パネル（２）、またはその他の絶縁材を覆う金属板の支持材（３）からなる閉鎖用の壁（４）で構成されて、前記壁（４）は、例えば家電製品（１）の後部に固定された三角材（５）を介して、互いに組み立てられて容器または内部空間（６）を形成し、常に開口を備えて、該開口に、蝶番の付いたドアまたはスライドによって引き出すことができるドア（７）が設置されることを特徴とする、製品を最速で冷却または冷凍する産業にも適用できる家電製品（１）。
【請求項２】
前記家電製品（１）自体を形成する前記壁（４）の全部または一部の内面にタービン（８）を内蔵し、全空気（９）を内部空間（６）の方へ繰り返し誘導すること、ならびに、圧縮機モータ（１５）に直接接続される入口（１４）および出口（１６）を備える蛇管（１３）を内蔵し、タービン（８）と全内部空間（６）の境界を規定する多孔板（１１）との間に配備される空間またはチャンバ（１２）に前記蛇管（１３）を収容し、前記内部空間内にある回転台（２５）の上に、最高実行速度で冷却または冷凍したい食品または飲料（２４）が配置されるほか、前記蛇管（１３）を、前記空気（９）をさらに一層効率的に内部空間（６）に分散する無数のハニカム孔を有するラジエータまたは凝縮器に組み込まれた蛇管（１３）に単純に入れ替えることが可能であり、チューブ状または包囲状で、ハニカム孔があるまたはなく、いずれの場合でもガス（１０）が流れる蛇管（１３）に連結している、ラジエータまたは凝縮器からなるその他の構成も可能であることを特徴とする、請求項１に記載の製品を最速で冷却または冷凍する産業にも適用できる家電製品（１）。
【請求項３】
好ましくは、冷却材として用いられるガス（１０）は、Ｒ４１０Ａと称するガス（１０）、または、特別に前記ガス（１０）が消失した場合に、できる限り同等の特徴を有するガスであって、安全バルブ（１９）に加えて前記ガス（１０）Ｒ４１０Ａの高圧にふさわしい特別な圧力計（２０）を備えたボンベまたはカートリッジ（１７）に入ったガスであり、前記カートリッジ（１７）は、導管（１８）を介して前記圧縮機モータ（１５）に連結され、これによって、入口（１４）および出口（１６）を介して前記蛇管（１３）に連結され、これが前記ガス（１０）Ｒ４１０Ａの流れる回路となり、前記ガスは、適切であれば、および前記家電製品（１）の寿命を延長するために、鉱油ではない、例えばポリエステル油またはポリビニルエーテル油などの油と混合されることができることを特徴とする、請求項１または２に記載の製品を最速で冷却または冷凍する産業にも適用できる家電製品（１）。
【請求項４】
回路基板（２２）に接続した制御パネルまたはコントロールパネル（２１）を備え、前記パネルから、処理時間、温度およびその他のプログラムされたまたはプログラム可能な行為が選択されることを特徴とし、空気（９）と共に機能するあらゆる家電製品と同じく、家電製品（１）の内部空間（６）で提供された機能を損なわずに空気（９）が出て行くことのできる解放領域（２３）を有することも特徴とする、請求項１〜３のうちいずれか一項に記載の製品を最速で冷却または冷凍する産業にも適用できる家電製品（１）。
【請求項５】
追加の目的である進歩性のある二重フィルタリングシステム（２６）であって、飲料または食品、例えば、缶詰、瓶、ケーキなど（２４）の製品をわずか数分で極めて急速に冷却できる家庭用または産業用に使用する前記装置（１）に内蔵され、家庭用およびバー、レストラン、アイスクリーム店などの商業用の使用に適用でき、これらの場所で、素早く冷却するのに役立つことができる二重フィルタリングシステム（２６）を特徴とし、本特許の冒頭ですでに言及した請求項で構成されることを特徴とし、進歩性のある前記二重フィルタリングシステム（２６）が内蔵され、前記二重フィルタリングシステムは、蒸発用蛇管（１３）から出る導管に特別に組み立てられ、冷却を速める工程の相対時間における速度を生み出し、サイクル時間を短縮し、請求項１〜４のうちいずれか一項に記載の最速で冷却する産業にも適用できるシステムは、前記工程および冷却機能を速めるために不可欠なシステムであることを特徴とし、前記システムは、最大の効率および均質な冷却を達成するために、２つ以上のフィルタを備えることができ、本発明の本請求項に記載した用語は、常に広範囲な性質を持ち、非限定的なものであるととらえるものとする、請求項１〜４のうちいずれか一項に記載の製品を最速で冷却または冷凍する産業にも適用できる家電製品（１）。
【発明の詳細な説明】
【技術分野】
【０００１】
本明細書の特許目的は、この場合、所定の装置または家電製品の進歩性のある設計および作製であり、本装置を用いて、例えば、飲料およびあらゆる種類の食料品などの製
品を急速に冷却でき、家などの家庭面でも、バー、レストラン、アイスクリーム店、またはイベント開催ホール、およびその他の可能性のある産業環境などの産業面でも、食品か食品でないかの区別なしに、製品を冷却または冷凍する役割を果たすことができるほか、特に新規な本家電製品によって、漁港、船舶および卸売市場または食品産業市場でも利用でき、本装置は、具体的なガスを充填した導管システムで動作し、移動するこのガスと接触・摩擦すると、タービンの力を借りて冷却作用が生じ、これが最大速度で実行され、本装置は、重量および容積に応じてプログラム可能にされるまたは計算されることができ、冷却または冷凍に直接適用される無数の使用上の利点を提供することを目的に考案された本発明を適用することによって、飲料または食料、およびその他の製品を極めて素早く冷却し、必要ならば冷凍する、必要性、緊急性、または突飛な事態に関わる問題を全面的に解決することができる。
【０００２】
本発明の適用範囲には、一般に日持ちしないあらゆる種類の製品の生産および販売または作製、貯蔵および供給を専門とするあらゆる産業や、ディスコおよびレジャー環境に隣接し、一般的特徴を備えるホテルレストラン業、または喫茶店およびレストラン、またはアイスクリーム店を対象とする分野が含まれる一方で、同範囲内では、大小の家電製品の作製に位置づけられる部門、ならびに一般に流体および物体ならびに液体または気体を内蔵する役割を果たすダクトシステムの生産および開回路または閉回路内の蛇管の生産に従事する製造部門も含まれる。
【背景技術】
【０００３】
本出願人としては、現時点では、本特許明細書に記載の特徴を備える発明の存在を認知していないため、本発明の利用は、完全に進歩性のあるものである。
【０００４】
現在、あらゆる種類の台所には、複数の仕事を補助し、食品および飲料の調理、冷蔵、加熱および冷凍または解凍を容易にする一連の家電製品が存在するため、調理および加熱または解凍などを行う場合に、相対的に同じことが起こることなく、実行の速度および速さを最適化できるようになり、高速でまたはできる限り小さな空間で、任意の食料品を冷却または冷凍する必要があるときに、数秒、または冷凍する必要があれば数分で、急速に冷却した水、清涼飲料水、一般的な飲料、または、最終的には食品を常備できるという重要な利点がある。
【０００５】
その上、家庭内のあらゆる必需品は、飲料および食料を冷たいまたは熱い状態に維持する必要がある商業、市場、ならびに無数の調理専門会社のほか、あらゆる冷凍食品を維持する必要がある会社に産業的に適応されている。
【０００６】
温度を最大限低下させるために、閉鎖環境で冷気を強めるまたは維持する形態または手段としては、塩と氷の添加および混合に回転式容器を組み合わせ、この容器に、冷却する製品を入れて回転させ製品を気長に冷却できるようにし、冷たい状態を維持することに基づく、かなり初歩的ないくつかの工程の存在が知られている。
【０００７】
これまで知られていなかったが、どのような家電製品にも産業や公共施設に適用される装置にも、事前に調理された食品または主に日持ちしない製品、または所定の温度および鮮度に維持する必要のある食品などのあらゆる食品に加えて一般的な飲料を最速で冷却できる上に、必要ならば冷凍できるものはなく、本質的に家庭内での家電製品として実用的で有用かつ機能性が高い上に、その使用法が、様々な寸法の家電製品でも産業界で適用され、無数の部門で有効に役立ち、その部門で１つの発明として提示でき、その発明が、極めて素早く冷却する必要のある任意のものに対して複数の実用上および使用上の機能を提供するほか、製品およびその体積、重量ならびにその製品状態に応じて、数秒または数分で冷凍する家電製品としても機能するようなものはない。
【発明の概要】
【発明が解決しようとする課題】
【０００８】
製品を最速で冷却または冷凍する産業にも適用できるこの家電製品は、本明細書が厳密に指すものであり、この場合、所定の家電製品および産業装置の作製物に相当し、この家電製品は、絶縁構造または絶縁パネルで構成され、この絶縁パネルは、絶縁パネルを適切に取り囲むように包囲する金属板またはプラスチック材製の支持材の一部を組み入れた後に、境界を規定する一連の壁となり、立方体や角柱形の収容容器になり、角柱形であれば多少なりとも細長い、または都合のよいように広い収容容器にもなる。
【０００９】
絶縁パネルは、材料を組み合わせて、または家電製品自体を外部の有害条件から保護するためにパネルの最も外側の方に層を配置して、危険な事故を回避する耐火性かつ断湿性の材料を用いて、家電製品の内部空間を保護し調節する絶縁性を満たしていなければならない。
【００１０】
また、上記の壁は、本家電製品の周囲の境界をすべて定めるものであり、これは産業分野にも適応できる使用法であり、この壁同士の間は、三角材、金具、形材構造を用いて結合できるほか、家電製品全体を製造した後の段階で絶縁パネルを置くために、内部が中空の壁を生み出す成形またはプレス加工工程に基づいて唯一の対象物から分離することもでき、これによって、時間または製品の重量ごとにプログラム可能な形式で、均質で急速な冷却を達成し、一般的な飲料および食品を冷却または冷凍したい所望の温度も選択できる。
【００１１】
一方、境界を規定する前述の各々の壁には、様々な空気の流れを起こすためのタービンを設置し、空気が家電製品の内部空間の方へ、または最速で冷却または冷凍される飲料および食品を一時的に収容するための容器の方へ流れるように、このようなタービンを壁の内面に配置する。
【００１２】
絶縁パネルを組み入れた全壁からなるアンサンブルで生産した、家庭用または産業用電化製品の内部空間は、多孔板パネルまたはミリメートル単位の孔の開いたその他の材料からなる素子で境界を規定されており、通常は前方を常に開口させるが、側面または上面を開口させてもよく、いずれの場合でも、蝶番を取り付けるかスライドによって引き出すことができる、開口部全体を封鎖するドアを備え、ドアの機能は、製品を家電製品内に快適に挿入できるようにすること、および家電製品の内部空間への開閉アクセスを可能にすることである。
【００１３】
空気タービンを設置する、多孔板パネルと装置の壁の内面との間には、蛇管を収容して取り付けるために配備されたチャンバまたは空間があり、この蛇管は、好ましくは銅製の導管で構成され、特定のチューブ厚であり、始まりの端部は、空気圧縮機モータに接続できるように、また、入口から蛇管にガスＲ４１０Ａを供給するようにＬ形に屈曲しており、蛇管の反対側端部は、回路の全長を過ぎた所にあるガスの出口であり、この端部も圧縮機モータに接続されて、ガスが元に戻って蛇管内部を継続的に循環するようになる。
【００１４】
このようにする代わりに、装置の動作温度を最大限下げるために、蛇管全体を形成する導管回路の代わりに、タービンからの空気が流れる無数のハニカム孔を有する、水平および垂直の一連の薄片で構成されるラジエータまたは凝縮器を用いることができることが確認されており、この方式では、ラジエータ自体に適切に内蔵された蛇管と組み合わせると、タービンが起こす動作は遙かに生産性の高いものになり、このハニカム孔を介してより低い冷凍温度の空気を生み出すことができ、タービンで押し出した空気をハニカムパネルに通過させて家電製品の内部に直接送り、ハニカム孔は、空気を分散する役割を果たす一種のフィルタとして作用し、空気がガスの動きおよびガスとの摩擦によって冷却された後、ガスは、ハニカムパネル、フィルタまたはラジエータに結合された蛇管を介して元に戻り、本発明では、分離によって絶縁する蛇管の使用も、ラジエータと組み合わせた蛇管の使用も視野に入れており、これらの使用によって、空気による最大の冷却が可能になり、必然的にガスにより起こる冷却性能の損失が最小に抑えられ、配備されたハニカム孔によって全冷気を調節して均質に分散して、圧縮機モータが引き起こすガスとの摩擦で起きた冷気を最大限長く保持し、家電製品の壁のうちの１つに、タービン、蛇管およびハニカムパネルを有する圧縮機モータを適用でき、あるいは、１つ以上の圧縮機モータに接続した、蛇管を有するいくつかのラジエータも適用でき、これらすべてを、家電製品の１枚の壁に設置してもよいし、妥当であれば装置のいくつかの壁または全壁に設置してもよい。
【００１５】
また、本発明用に特別に生産されるラジエータまたは凝縮器の形態上可能な構造は、公知の長方形または角柱形であるとともに、新たな対象である、蛇管から見えている凝縮器および冷気蓄積機であり、これらは、例えばチューブ状または包囲状で、これらのパネルを凝縮器またはラジエータにするためのハニカム孔があるか、またはハニカム孔も水平薄片も垂直薄片もなく、本装置の製造目的は、常に、冷気を保持するように作用させて、冷気を一切失うことなくガスの性能および性質を最適な形で利用するという概念に基づいている。
【００１６】
ガスに関しては、Ｒ４１０Ａと称するガスを使用するのが好ましく、それ故に本発明に適用でき、このガスは、進歩性のある家電製品内の本質的な冷蔵化合物として的確に適合して極めて高い容積を供給し、単純に自然の特性によって高圧に達する結果、ガスＲ４１０Ａを構成する分子の移動は最小になり、冷蔵能力は最大になる。
【００１７】
ガスＲ４１０Ａは、ハイドロフルオロカーボン（ＨＦＣ）であり、これは、オゾン層を破壊しない完全にエコロジーなガスに分類される冷蔵ガスであり、ヒトの健康に有害ではない上に、不燃性ガスであるため、漏れた場合でも事故にならず、吸い込んだ際の副作用の原因となる中毒も発生しない。
【００１８】
構成要素の面では、Ｒ４１０Ａは、２種類のガス、Ｒ３２およびＲ１２５を可変的な割合で混合して得られ、この２種類のガスは、ガスＲ４１０Ａを生成するために、分離または組み合わせおよび混合によって調整される空気システムに用いられる。
【００１９】
ここで、本発明では、このガスＲ４１０Ａの使用のみを検討しているわけではなく、最初はこの使用が最も適切であるが、この製品が市場から撤退または消失した場合には、常にＲ４１０Ａの特性および性能に基づいて同じ冷蔵機能を果たす同等の性質を持つ他のガスを使用してもよい。
【００２０】
このガスは、Ｒ４１０Ａ自体が持つ正常な動作圧力および冷蔵力が高く、沸点が−５２℃のため、特殊なバルブおよび圧力計を備えた所定のボンベまたはカートリッジに入った状態で手に入り、そのため、カートリッジを設置する際、カートリッジの出口は、導管を介してガス閉鎖バルブおよびガス吸入バルブに接続され、続いて、その後に続く導管と共に、空気圧縮機モータに接続され、銅製の蛇管は充填され、前記蛇管内部に温度低下が生じ、蛇管は、マイナス１０℃からマイナス４０℃の間を揺れ動くことがあり、動作温度は、装置の機能に最適な温度である−１５℃から−２０℃になる。
【００２１】
本発明は家電製品であるため、機能および性能のあらゆる作動は、コントロールパネルから実施され、キーまたは調節素子を用いて冷却したい時間および温度を選択することができ、ガスは、冷却剤として作用し、圧縮機モータの作用によって摩擦が増大するにつれてガスの温度がさらに下がるため、コンプレッサが毎回随時効果的な力で押し出す動作および圧力強度を、集積回路基板と電子的に結びつける必要がある、すなわち、使用者がコントロールパネルを用いて、例えばビールを１分間冷却したい旨を指示すれば、家電製品は、内部の各構成要素の動作の最適な効率を計算するように設定される。
【００２２】
蛇管内部のガスＲ４１０Ａが十分冷たい温度、およそ−１５℃に達すると、側壁、底壁のタービンが作動し、必要であれば上部のタービンも作動して最大の冷却速度を引き起こし、その際に、導管または蛇管の冷気が、家電製品の内部空間の境界を規定している多孔板の孔を介して内部空間の方へ移動し、家電製品の中には、冷却し、好みによってまたは賞味期限を延長するか製品状態を長持ちさせる必要があれば冷凍する、飲料および食品または食料の容器のほか、所定の製品に求められる鮮度を維持するために所望する温度まで冷却する飲料および食品または食料の容器も配置され、本家電製品は複数の性能を備えているため、短時間の使用で製品を最速で冷却または冷凍するための家電製品が、消費される多くの製品を消費時に冷えた状態にできるように冷蔵庫を一杯にする必要なく、冷蔵庫の消費量を減らすことができ、失念により、例えば冷却すべき飲料を冷蔵庫または冷凍庫に入れていなかった際に、本発明の特徴的な家電製品が提供する速度により、自分自身または来客に対して失敗することがないという利点があり、起こり得る無数の状況が、高速の冷却または冷凍で解決される。
【００２３】
また、電子レンジで使用されるような、内部空間の下部分に位置する中央回転台を用いることが、本発明の構想部分として傑出していることが重要であり、この回転台があると、有利には、冷却する製品への冷気の分散が一層均質になり、希望すれば冷凍されるまで冷却され、前記回転台は、進歩性のある本家電製品の機能と同じように、固有のコントロールパネルから調整され、このコントロールパネルは、冷却に曝露する時間、選択可能な冷却温度、重量計算および容積を設定する機能を備え、プログラムした効果的な強度の冷却または冷凍の時間を調整し、この機能は、自動的に実行され、所望温度のみを選択するようになっている。
【００２４】
冷却または冷凍するための高度な機能として記載したシステムに、空調装置およびエアオーブンで用いられる従来のヒートポンプに接続したサーモスタットを備えて、本家電製品が、本家電製品の構成要素の特許請求対象の機能に加えて、食品および飲料を加熱または解凍するために現在既に利用されている機能を持てるようにすることができ、これによって、一連の使用法および利点を１台の装置のみに組み入れて、この装置を家庭の台所および産業部門の複数の分野に適応できる新規な家電製品として設置することで、より完全かつ機能的な家電製品を提供することが可能になる。
【００２５】
最後に、オーブンの場合のように空気および抵抗によって動作する他の装置、および送風機能のある電子レンジのように、最速で冷却または冷凍する産業にも適応できる本家電製品は、装置の内部空間にかかる全空圧が上昇し過ぎたときに通気孔として作用する放出口または排気口を、背面、側面または前面に備えていなければならない。
【００２６】
また、ガスＲ４１０Ａは、ガスＲ４１０Ａまたはガス混合物を常に液状で使用して、鉱油ではなくポリエステル油またはポリビニルエーテル油と適宜組み合わせることができる。より経年耐性があり特別なメンテナンスが全くいらない家電製品を製造するためには、上記の油を使用することが基本であるが、これは、Ｒ４１０Ａの特性である液状ガスと混和性があるのはこれらの油のみだからであり、油によって、ガスが圧縮機モータの方へうまく戻りやすくなるため、ガスの質の劣化が軽減される。唯一のメンテナンスが、数年使用後のガスの再充填であり、カートリッジおよびＲ４１０Ａが流れる閉回路または蛇管の全ガス、または同一の冷却性能を提供するほぼ同等の特性を有する任意の他のガスを入れ替えることである。
【００２７】
ここに記載する説明文を補足するため、また、進歩性を提供する特徴をさらに詳細に理解するのを補助することを目的に、本明細書に、および本明細書の一部として、説明目的の以下の図を示す一連の線画を添付する。
【図面の簡単な説明】
【００２８】
【図１】飲料および任意の食料品を最速で冷却または冷凍する家電製品を仮定した図であり、その全容が斜視図から見え、設けた切断部を介して、蛇管の配置および圧縮機モータの配置が見えるとともに、内部空間も見え、開口したドアを備える装置を示し、例として缶飲料容器を描いている。
【図２】斜視図から冷却構造システムの全容が見える図であり、圧縮機モータに接続したカートリッジ、および蛇管の入口および出口にある圧縮機モータのみを示し、家電製品の一部である壁もドアも示さずに、制御パネルまたはコントロールパネルの一部、および下方の閉鎖用壁に組み入れられた回転台のみを描き、この回転台には、この場合は飲料が置かれている。
【図３】別の斜視図から、本発明を形成する素子の全容を示す図であり、分離して観察するために、ほとんどの構成要素をその最終的な収容場所から動かし、見えない素子を理解できるように、様々な対象物にいくつかの破断を施した図である。
【発明を実施するための形態】
【００２９】
図１を見ると、最速で製品を冷却または冷凍する産業にも適用できるこの進歩性のある家電製品（１）は、金属板の支持材（３）の内部に包囲されている絶縁パネル（２）で構成され、このパネルが、本発明の特徴的な家電製品（１）の上壁および下壁と共に側壁（４）および底になる。
【００３０】
壁は、三角材（５）を介して他の壁と組み合わせることができるため、例えば、一種の容器または内部空間（６）ができて、家電製品（１）の前方部が、蝶番の付いたドアまたはスライドさせて引き出せるドア（７）を備えて開口した状態になって、前記内部空間（６）を開閉する。
【００３１】
壁（４）の内面には、空気（９）の流れを発生させるタービン（８）が中央に設置されているのが描かれ、タービンは、Ｒ４１０Ａのようなガス（１０）から得られた低温の空気（９）を、内部空間（６）全体に運搬して注入する。
【００３２】
家電製品（１）のこの内部空間（６）は、一連の多孔板（１１）で境界を規定されており、タービン（８）の空気（９）はこの孔を通り抜けて内部空間（６）に完全に導引され、境界を規定している多孔板（１１）とタービン（８）が備わる壁（４）の内面との間には、蛇管（１３）、またはガス（１０）Ｒ４１０Ａが循環する回路を組み立てるための可変的な分離用のチャンバ（１２）が配備されている。
【００３３】
蛇管（１３）の入口（１４）は、圧縮機モータ（１５）に接続されるように設置され、回路の全長を過ぎた反対側の端部にある蛇管（１３）の終点も同じく、ガス（１０）が流れて戻り蛇管（１３）の全長にわたって内部に連続的に効率的な方法で導引されるように、出口（１６）を通って同じ圧縮機モータ（１５）に接続され、代案として、ラジエータまたはガスによって発生する全冷気をよりよく分散させるハニカムパネルと共に連結され設置された蛇管（１３）を使用するという選択肢があり、これによって、最速で冷却するための機能上の温度指数が、最低温度まで著しく低下し、生産性および効率がよくなって、急速に冷却または冷凍する機能および性能が発揮される。
【００３４】
蛇管（１３）に結合または連結するこれらのラジエータ、パネルまたはフィルタを提供することで、様々な形態的な局面が常に都合よく適応されて、タービン（８）によって空気（９）が最適な形で蓄積された後に内部空間（６）の方へ消散し、内部空間は、ハニカム孔があるまたはないように見える。
【００３５】
ボンベまたはカートリッジ（１７）に入れられたガス（１０）Ｒ４１０Ａを蛇管（１３）に導引して、圧縮機モータ（１５）を用いて蛇管を完全に充填し、今度はこの圧縮機モータを、導管（１８）および特別な圧力計（２０）を備えた安全バルブ（１９）を介してガス（１０）Ｒ４１０Ａのカートリッジ（１７）に連結し、ガスは、カートリッジから高圧で出て極めて低温に達する。
【００３６】
本発明を使用し始めると、蛇管（１３）全体の周囲の動作温度が、極めて短時間で少なくとも−１５℃になった後、圧縮機モータ（１５）の圧力強度が自動的に調節され、引き続き、タービン（８）の機能が作動し、この低温が伝達されて空気（９）を冷却し、この空気は内部空間（６）を極めて低温で通過する。
【００３７】
プログラム可能な機能を備え瞬時に作動する任意の装置のように、新規な家電製品（１）は、制御パネルまたはコントロールパネル（２１）を備え、このパネルは、時間、速度、温度、重量、体積および自動設定を処理するための回路基板（２２）に接続される。
【００３８】
同じように、２２０Ｖの配電網に直接接続されて動作し、エアオーブンまたは電子レンジのように、残りの空気（９）が中から出ることができる解放領域、または内部空間（６）が支持する圧力を超える解放領域（２３）を備える。
【００３９】
本発明を使用することは極めて実用的であり、食品、製品または飲料（２４）を、内部空間（６）の下部に位置する回転台（２５）に簡単に載せた後にドア（７）を閉め、制御パネル（２１）から、作動時間、または選択可能な温度およびその他の可能な設定と関連する、複数の実行の選択肢のうちの１つを選択する。
【００４０】
このシステム全体に、特徴的な性能、食品および飲料（２４）の加熱性能と共に、製品の解凍性能も提供できるヒートポンプを組み入れてもよい。
【００４１】
総合すると、製品に起こしたい作用に応じて、最大の冷却速度および冷凍速度で製品を冷却または冷凍し、使用してからほとんど瞬時に実行されるという性能および利点を備える、極めて重要な目的のもとで作製した最も完璧な家電製品（１）が得られるという結論に至ることができる。
【００４２】
最速で製品を冷却または冷凍する産業にも適用できる本家電製品（１）の作製に用いた素子および材料は、すべて本明細書に記載したとおりであり、市場には潜在的なバージョンがあるため、本発明を構成する素子の任意の寸法および形状を変更または修正してもよい。
【００４３】
本特許明細書に記載した用語は、常に広範囲な性質を持ち、非限定的なものであるととらえるものとする。
【００４４】
追加
製品を最速で冷却または冷凍する産業にも適用できる家電製品
【００４５】
追加の目的
本明細書の追加の目的は、この場合、本発明の目的である家電製品に内蔵される、進歩性のある二重フィルタリングシステムに関し、このシステムによって、例えば飲料、缶詰、瓶、食品などの製品をわずか数分で急速に冷却できる。
【００４６】
家庭の使用にも、製品を素早く冷却する必要のあるバー、レストラン、アイスクリーム店などの産業界の使用にも適用できる。
【００４７】
圧縮機モータ（１５）、凝縮器（２７）および蒸発用蛇管（１３）を備える新規な家電製品には、戦略的に配置された二重フィルタリングシステム（２６）が追加されており、このシステムは、ガスが圧縮機モータ（１５）に戻る前に第２のフィルタ（２６）を取り付けて、この素早い冷却を可能にするものであり、これは、この追加の段落で言及し、次に特許請求するものである。冷却時間を加速する目的で考案されたこの二重フィルタリング（２６）を適用することによって、飲料または食品を素早く冷たい状態にできる必要性、緊急性に関わる問題を解決することができる。
【００４８】
技術分野
本発明の適用範囲には、一般的特徴を備え、飲料または食品などの製品を素早く冷却して、日々の業務および研究業務を簡易化する目的を有する家庭、産業およびホテルレストラン業での使用が含まれ、大小の家電製品の製造に位置づけられる部門、ならびに一般に流体および液体または気体のような物質を取り入れる役割を果たすダクトシステムの生産および開回路または閉回路内の蛇管の生産に従事する製造部門も含まれる。
【００４９】
背景技術
現時点では、これらの特徴を持つシステム、このシステムに関連する先行技術および／または関連請求項の存在を認知していないため、本明細書に追加するように、その使用は完全に進歩性のあるものである。
【００５０】
発明の概要
蒸発用蛇管（１３）と圧縮機モータ（１５）への入口との間に配置される、第２の脱水フィルタを使用することで、ガス状態の変換プロセスが３倍まで加速される。つまり、液体から気体になるまでの冷却の速度および速さがこのように最適になる。
【００５１】
本明細書に追加する前の最初の特許出願で既に言及した内容に、均質かつ急速な冷却を発生させるためには、二重フィルタリングシステム（２つ以上のフィルタ）が不可欠であり、このシステムを用いて、最大のエネルギー効率および素子の保存が達成されることを追加する。
【００５２】
本発明の動作
圧縮機モータ（１５）の役割は、熱力学的作用によってガスを凝縮器（２７）の方へ押し出すことであり、凝縮器では、高温で圧縮され、熱量の検証が行われ、この熱量は、後に（通風機を介して）大気へ向かって排出される。
【００５３】
冷却サイクルでは、ガスは、凝縮器（２７）を通過すると、明らかに気体状態になり、高圧で完全に圧縮される（高圧システム）。
【００５４】
第１の脱水フィルタ（２６）に到達すると、その先はキャピラリ管になる。キャピラリ管の役割は、ガスを分解して分子の配列を乱し、高圧から低圧へと状態を変化させることである。すると、ガスは液状になり、これによって冷気が生成し始める。
【００５５】
戻って液状で循環する際に、組み入れられた第２の脱水フィルタ（２６）を通過し（追加の目的）、圧縮機モータに入る際は、すでに気体状態で入る。その時点で達成されるのは、冷気の流れの修正である。この熱状態と冷気状態のサイクルを３倍まで加速するが、これはすべて、二重フィルタリングを内蔵した進歩性のあるシステムによるものである。なぜなら、従来の装置では、第１のフィルタであって、現在まで冷却システムを備えている唯一のフィルタが、凝縮器の後ろから出ていた、つまり、凝縮器（２７）の出口へ出て、キャピラリ管に接続されて、その分子を乱していたからである。
【００５６】
今度は、圧縮機モータとキャピラリとの間に配置された唯一のフィルタのほかに、さらに別のフィルタを加え、これを蒸発用蛇管（１３）とコンプレッサ装置（１５）との間に配置する。
【００５７】
要約：冷却サイクルでは、高圧システムおよび低圧システムがある。この進歩性のあるシステムによって、そのプロセスを３倍まで加速できる。
【００５８】
従来の冷却サイクルの図
従来の冷却サイクルと引用した二重フィルタリングを有する家電製品の冷却サイクルを、図Ａおよび図Ｂで比較する。  
図Ａ
【００５９】
2014505852.tif 000003
【００６０】
二重フィルタリングを有する家電製品の冷却サイクルの図
図Ｂ
【００６１】
2014505852.tif 000004
【００６２】
これ（フィルタ）は、第２の脱水フィルタの位置またはシステムであり、進歩性のあるものとして特許請求する追加の要因である。
【図１】
2014505852.tif 000005
【図２】
2014505852.tif 000006
【図３】
2014505852.tif 000007
【図４】
2014505852.tif 000008
【図５】
2014505852.tif 000009
【図６】
2014505852.tif 000010
【手続補正書】
【提出日】平成25年9月10日(2013.9.10)
【手続補正１】
【補正対象書類名】明細書
【補正対象項目名】全文
【補正方法】変更
【補正の内容】
【発明の詳細な説明】
【技術分野】
【０００１】
本明細書の特許目的は、この場合、所定の装置または家電製品の進歩性のある設計および作製であり、本装置を用いて、例えば、飲料およびあらゆる種類の食料品などの製品を急速に冷却でき、家などの家庭面でも、バー、レストラン、アイスクリーム店、またはイベント開催ホール、およびその他の可能性のある産業環境などの産業面でも、食品か食品でないかの区別なしに、製品を冷却または冷凍する役割を果たすことができるほか、特に新規な本家電製品によって、漁港、船舶および卸売市場または食品産業市場でも利用でき、本装置は、具体的なガスを充填した導管システムで動作し、移動するこのガスと接触・摩擦すると、通風機の力を借りて最大実行速度で冷却作用が生じ、本装置は、重量および容積に応じてプログラム可能にされるまたは計算されることができ、冷却または冷凍に直接適用される無数の使用上の利点を提供することを目的に考案された本発明を適用することによって、飲料または食料、およびその他の製品を極めて素早く冷却し、必要ならば冷凍する、必要性、緊急性、または突飛な事態に関わる問題を全面的に解決することができる。
【０００２】
本発明の適用範囲には、一般に日持ちしないあらゆる種類の製品の生産および販売または作製、貯蔵および供給を専門とするあらゆる産業や、ディスコおよびレジャー環境に隣接し、一般的特徴を備えるホテル業およびレストラン業、または喫茶店もしくはレストラン、またはアイスクリーム店を対象とする分野が含まれる一方で、同範囲内では、大小の家電製品の作製に位置づけられる部門、ならびに一般に流体および物体ならびに液体または気体を内蔵する役割を果たすダクトシステムの生産および開回路または閉回路内の蛇管の生産に従事する製造部門も含まれる。
【背景技術】
【０００３】
本出願人としては、現時点では、本特許明細書に記載の特徴を備える発明の存在を認知していないため、本発明の利用は、完全に進歩性のあるものである。
【０００４】
現在、あらゆる種類の台所には、複数の仕事を補助し、食品および飲料の調理、冷蔵、加熱および冷凍または解凍を容易にする一連の家電製品が存在するため、調理および加熱または解凍などを行う場合に、相対的に同じことが起こることなく、実行の速度および速さを最適化できるようになり、高速でまたはできる限り小さな空間で、任意の食料品を冷却または冷凍する必要があるときに、わずか数分で急速に冷却または冷凍した水、清涼飲料水、一般的な飲料、または、最終的には食品を常備できるという重要な利点がある。
【０００５】
その上、家庭内のあらゆる必需品は、食料を冷たいまたは熱い状態に維持する必要がある商業、市場、ならびに無数の調理専門会社のほか、あらゆる冷凍食品を維持する必要がある会社に産業的に適応されている。
【０００６】
温度を最大限低下させるために、閉鎖環境で冷気を強めるまたは維持する形態または手段としては、塩と氷の添加および混合に回転式容器を組み合わせ、この容器に、冷却する製品を入れて回転させ製品を気長に冷却できるようにし、冷たい状態を維持することに基づく、いくつかの初歩的な製品の存在が知られている。
【０００７】
これまで知られていなかったが、どのような家電製品にも産業や公共施設に適用される装置にも、事前に調理された食品または主に日持ちしない製品、または所定の温度および鮮度に維持する必要のある食品などのあらゆる食品に加えて一般的な飲料を最速で冷却できる上に、必要ならば冷凍できるものはなく、本質的に家庭内での家電製品として実用的で有用かつ機能性が高い上に、その使用法が、様々な寸法の家電製品でも産業界で適用され、無数の部門で有効に役立ち、その部門で１つの発明として提示でき、その発明が、極めて素早く冷却する必要のある任意のものに対して複数の実用上および使用上の機能を提供するほか、製品およびその体積、重量ならびにその製品状態に応じて、わずか数分で冷凍する家電製品としても機能するようなものはない。
【発明の概要】
【発明が解決しようとする課題】
【０００８】
製品を最速で冷却または冷凍する産業にも適用できるこの家電製品は、本明細書が厳密に指すものであり、この場合、所定の家電製品および産業装置の作製物に相当し、この家電製品は、絶縁構造または絶縁パネルで構成され、この絶縁パネルは、絶縁パネルを適切に取り囲むように包囲する金属板またはプラスチック材製の支持材の一部を組み入れた後に、境界を規定する一連の壁となり、立方体や角柱形の収容容器になり、角柱形であれば多少なりとも細長い、または都合のよいように広い収容容器にもなる。
【０００９】
絶縁パネルは、材料を組み合わせて、または家電製品自体を外部の有害条件から保護するためにパネルの最も外側の方に層を配置して、危険な事故を回避する耐火性かつ断湿性の材料を用いて、家電製品の内部空間を保護し調節する絶縁性を満たしていなければならない。
【００１０】
また、上記の壁は、本家電製品の周囲の境界をすべて定めるものであり、これは産業分野にも適応できる使用法であり、この壁同士の間は、三角材、金具、形材構造を用いて結合できるほか、家電製品全体を製造した後の段階で絶縁パネルを置くために、内部が中空の壁を生み出す成形またはプレス加工工程に基づいて唯一の対象物から分離することもでき、これによって、残りの構成要素から蒸発器が絶縁されて、時間または製品の重量ごとにプログラム可能な形式で、均質で急速な冷却ができ、一般的な飲料および食品を冷却または冷凍したい所望の温度も選択できる。
【００１１】
これらの絶縁パネルの内部には、蒸発器と呼ばれる場所が設置され、ここに飲料または食品が収容され、この蒸発器の構成部品は、銅製の導管であり、この銅製の導管は、冷却ガスが通過する閉回路の一部となる。
【００１２】
一方、蒸発器の内部には、様々な空気の流れを起こすための通風機が設置され、蒸発器内部に存在する空気が蒸発器自体の内部の飲料または食品に素早く流れるように、このような通風機を戦略的に配置されると、この蒸発器は完全に気密状態になるため、外部からの空気が必要なく、空気を排出する必要もない。
【００１３】
蒸発器内部にこのような通風機を戦略的に配置し、蒸発器を継続的に−４０℃にする目的は、飲料または食品に対して−６０℃から−７０℃に達する温度感覚を引き起こすことである。
【００１４】
蒸発器は、通風機の羽根が食品または飲料と直接接触することによる事故を回避するために、多孔板パネルで境界を規定されているが、空気は、蒸発器と呼ばれる閉鎖した固有の囲壁内部で必ず正常に流れ、通常は前方を常に開口させるが、側面または上面を開口させてもよく、いずれの場合でも、蝶番を取り付けるかスライドによって引き出すことができる、開口部全体を封鎖するドアを備え、ドアの機能は、製品を家電製品内に快適に挿入できるようにすることである。  
【００１５】
ガスに関しては、Ｒ４１０Ａと称するガスを使用するのが好ましく、それ故に本発明に適用でき、このガスは、進歩性のある家電製品内の本質的な冷蔵化合物として的確に適合して極めて高い容積を供給し、ガスＲ４１０Ａを構成する粒子の移動が最小であるために単純に自然の特性によって高圧に達する結果、冷蔵能力は最大になる。
【００１６】
ガスＲ４１０Ａは、ハイドロフルオロカーボン（ＨＦＣ）であり、これは、オゾン層を破壊しない完全にエコロジーなガスに分類される冷蔵ガスであり、ヒトの健康に有害ではない上に、不燃性ガスであるため、漏れた場合でも事故にならず、吸い込んだ際の副作用の原因となる中毒も発生しない。
【００１７】
ここで、本発明では、このガスＲ４１０Ａの使用のみを検討しているわけではなく、最初はこの使用が最も適切であるが、この製品が市場から撤退または消失した場合には、常にＲ４１０Ａの特性および性能に基づいて同じ冷蔵機能を果たす同等の性質を持つ他のガスを使用してもよい。
【００１８】
Ｒ４１０Ａ自体の正常な動作圧力および冷蔵力が高く、沸点は−５２°Ｃであるため、このガスは、この新規な家電製品にふさわしいものである。
【００１９】
新規な本家電製品は、いくつかの構成要素同士の接続または結合の役割を果たす銅製の蛇管を備え、この蛇管は、圧縮機モータから始まって、圧縮機モータ、凝縮器、第１の脱水フィルタ、銅製のキャピラリ管、蒸発器、戦略的に配置した第２の脱水フィルタを結合し、この第２の脱水フィルタは、再び圧縮機モータに結合する銅製の蛇管の最終区間であり、これによって、いくつかの構成要素が一体となって単一の閉回路を達成することができる。
【００２０】
新規な本家電製品は、圧縮機モータであって、ガスＲ４１０Ａの粒子および分子を整える目的を有するとともに、凝縮器が形成する閉回路内にガスを気体状態で継続的に押し出す目的も有する圧縮機モータ、脱水フィルタ、蒸発器を備え、この各々の構成要素は、銅製の蛇管の行程のうちのいくつかの区間の蛇管で結合される。
【００２１】
圧縮機モータは、発生する熱を取り出す目的で、その後部に通風機を当接した状態で有する。
【００２２】
新規な本家電製品は、公知の長方形でも角柱形でもよい凝縮器を備え、この凝縮器は、蛇管の一部を介して圧縮機から出るガスを受け取り、ガスが５０℃の気体状態になると、凝縮器は、目的としての２つの重要な機能、すなわち、本家電製品が良好に機能するのにふさわしい積載量である約８００グラムのガスを蓄積するという第１の機能、および通過中のガスＲ４１０Ａを冷却するという第２の機能を有し、この機能が必要なために、独立した通風機を配置して、凝縮器および凝縮器内部を流れるガスを冷却する。
【００２３】
新規な本家電製品は、戦略的な位置にある２つの脱水フィルタを備え、すなわち、第１の脱水フィルタは、凝縮器と蒸発器との間に位置し、ガスＲ４１０Ａの粒子および分子の配列を乱して、ガスをキャピラリ管に通し、ガスを気体状態から液体状態へ変換してガスの温度が−５２℃に下がるようにするという目的を有し、ガスがキャピラリ管の全長を通って蒸発器まで行き、この蒸発器に、食品または飲料が配置される。
【００２４】
新規な本家電製品は、キャピラリ管のない第２の脱水フィルタを備え、第２の脱水フィルタは、蒸発器の後で圧縮機モータの直前に戦略的に位置し、戦略的に配置されてガスの粒子および分子を再び配列するという目的を有し、このようにして、ガスは整った状態で再び圧縮機モータ内部に入ることができ、このようにすると、圧縮機モータは、ガスの粒子および分子を再び配列する必要がないため、ガスは、閉回路内の行程を辿り、圧縮機モータがガスの粒子および分子を再び配列するのに使用する、８から１０分かかる時間を節約することができ、これによって、いわゆる冷却サイクルが速くなり、この革新的な方法で、ガスは、難なく閉回路内部を流れることができ、家電製品は、わずか６分で室温の２５℃から−４０℃になり、清涼飲料水の缶をわずか５分で２５℃から７℃に冷却でき、現在ある従来のシステムを用いて清涼飲料水の缶を２５℃から７℃に冷却すると１時間１５分かかるのと比較して、この方法では、冷却または冷凍が、現在公知の任意の方法よりも１５倍速くなる。
【００２５】
ここに記載する説明文を補足するため、また、進歩性を提供する特徴をさらに詳細に理解するのを補助することを目的に、本明細書に、および本明細書の一部として、説明目的の以下の図を示す一連の線画を添付する。
【図面の簡単な説明】
【００２６】
【図１】飲料および任意の食料品を最速で冷却または冷凍する家電製品を仮定した図であり、その全容が斜視図から見え、金属構造が見え、設けた切断部を介して、圧縮機モータ、蒸発器、凝縮器、内部の通風機の一部が見えるとともに、内部空間も見え、開口したドアを備える装置を示し、例として缶飲料容器を描いている。
【図２】斜視図から、蒸発器と呼ばれる冷却構造システムの全容が見える図であり、家電製品の一部である壁もドアも示さずに圧縮機モータ、内部の通風機が見えるようにし、制御パネルまたはコントロールパネルの一部のみを描いている。
【図３】別の斜視図から、本発明を形成する素子の全容を示す図であり、分離して観察するために、ほとんどの構成要素をその最終的な収容場所から動かし、見えない素子を理解できるように、様々な対象物にいくつかの破断を施した図である。
【図４】家電製品の一部である壁もドアも示さずに構成要素を見せ、圧縮機モータを見えるようにした図であり、この図では、ガスＲ４１０Ａを凝縮器まで運搬する蛇管の出口を示すとともに、第１の脱水フィルタまで続く導管でガスを冷却するための通風機も示し、第１の脱水フィルタの目的は、ガスＲ４１０Ａの粒子および分子を乱し、その後ガスをキャピラリ管に通し、ガスを気体状態から液体状態に変換してガスの温度が−５２℃に下がるようにすることであり、キャピラリ管は、導管の出口が見える断面図の形で示した蒸発器を通って、第２の脱水フィルタを介してガスＲ４１０Ａを運ぶ蛇管のもう一方の端部まで続き、第２の脱水フィルタは、蒸発器の後でキャピラリ管のない圧縮機モータの直前に戦略的に位置し、第２のフィルタの目的は、戦略的に配置されてガスの粒子および分子を再び配列することであり、このようにして、ガスは整った状態で再び圧縮機モータ内部に入ることができ、このようにすると、圧縮機モータは、ガスの粒子および分子を再び配列する必要がないため、ガスは、閉回路内の行程を辿り、飲料または食品の冷却または冷凍時間を劇的に短縮できる。
【図５】戦略的に配置した第２の脱水フィルタを備える家電製品の冷却サイクルの図であり、図に見えるとおり、戦略的に配置した第２の脱水フィルタは、進歩性のあるものとして強調して描いた図である。
【発明を実施するための形態】
【００２７】
図１を見ると、最速で製品を冷却または冷凍する産業にも適用できるこの進歩性のある家電製品（１）は、金属板の支持材（３）の内部に包囲されている絶縁パネル（２）で構成され、このパネルが、本発明の特徴的な家電製品の上壁および下壁と共に側壁（４）および底になる。
【００２８】
壁は、他の壁と組み合わせることができるため、一種の容器または内部空間ができて、家電製品（１）の前方部が、蝶番の付いたドアまたはスライドさせて引き出せるドア（１４）を備えて開口した状態になって、前記内部空間を開閉する。
【００２９】
蒸発器（５）の内面には、蒸発器の固有の場所の内部に空気の流れを発生させる通風機（１５）が設定され、これが、約−６０℃の温度感覚を引き起こし、これらの通風機（１５）は、多孔板（１６）によって蒸発器（５）から分離され、缶（２０）である場合にこの缶との事故が起こるのを回避するようになっている。
【００３０】
圧縮機モータ（６）の入口には、ガスＲ４１０Ａを搭載できるようにするための通路用バルブが収容され、圧縮機モータ（６）にガスが導引されると、圧縮機モータは、蛇管（１１）、凝縮器（７）、第１の脱水フィルタ（８）、キャピラリ管（９）、蒸発器（５）、戦略的に配置した第２の脱水フィルタ（１０）を通る回路を完全に充填する役を担い、ガスは圧縮機モータ（６）に戻るまで蛇管（１１）を流れ、再充填する必要なく、構成要素がこのように一体となって単一の閉回路を達成する。
【００３１】
圧縮機モータ（６）は、解放（１９）用の格子を介して発生する熱を取り出すための通風機（１８）を当接した状態で有し、凝縮器（７）も同じく、発生する熱を解放（１９）用の格子を介して取り出すための通風機（１７）を当接した状態で有する。
【００３２】
プログラム可能な機能を備え瞬時に作動する任意の装置のように、新規な家電製品（１）は、コントロール用の制御パネル（１２）を備え、このパネルは、時間、速度、温度、重量、体積および自動設定を処理するための回路基板（１３）に接続され、この回路基板は、２２０Ｖの配電網に接続されて機能する。
【００３３】
総合すると、製品に起こしたい作用に応じて、最大の冷却速度および冷凍速度で製品を冷却または冷凍し、使用してから極めて素早く実行されるという性能および利点を備える、極めて重要な目的のもとで作製した最も完璧な家電製品（１）が得られるという結論に至ることができる。
【００３４】
最速で製品を冷却または冷凍する産業にも適用できる本家電製品（１）の作製に用いた素子および材料は、すべて本明細書に記載したとおりであり、市場には潜在的なバージョンがあるため、本発明を構成する素子の任意の寸法および形状を変更または修正してもよい。
【００３５】
本特許明細書に記載した用語は、常に広範囲な性質を持ち、非限定的なものであるととらえるものとする。
【手続補正２】
【補正対象書類名】特許請求の範囲
【補正対象項目名】全文
【補正方法】変更
【補正の内容】
【特許請求の範囲】
【請求項１】
断湿性で耐火性の絶縁パネル（２）、またはその他の絶縁材を覆い、この場合は蒸発器（５）を覆う金属板の支持材（３）からなる閉鎖用の壁（４）で構成されて、前記壁は、互いに組み立てられて飲料および食品（２０）を収容する役割を果たす気密性または水密性の容器または内部空間を形成し、前記内部空間は、常に開口を備えて、該開口に、蝶番の付いたドアまたはスライドによって引き出すことができるドア（１４）が設置され、前記蒸発器（５）の全壁または一部の壁の内面には通風機（１５）、（１７）および（１８）が内蔵され、前記通風機は、前記蒸発器（５）自体の内部に−４０℃の空気を発生させ、気密性を保つように閉鎖されるため、前記蒸発器（５）の空気の出入りが不可能になり、これによって、これらの通風機（１５）、（１７）および（１８）が、食品または飲料（２０）に約−６０℃の温度感覚を引き起こすこと、および、圧縮機モータ（６）が内蔵され、該圧縮機モータは、蛇管（１１）、凝縮器（７）、第１の脱水フィルタ（８）、キャピラリ管（９）、蒸発器（５）、戦略的に配置した第２の脱水フィルタ（１０）を通るガスＲ４１０Ａの回路を完全に充填する役を担い、ガスは圧縮機モータ（６）に戻るまで前記蛇管（１１）を流れ、再充填する必要なく、構成要素がこのように一体となって単一の閉回路を達成することを特徴とする、製品を最速で冷却または冷凍する産業にも適用できる家電製品（１）。
【請求項２】
冷却剤として用いられる前記ガスは、Ｒ４１０Ａと称するガス、または、特別に前記ガスが消失した場合に、できる限り同等の特徴を有するガスであって、安全バルブシステムに加えて前記ガスＲ４１０Ａの高圧にふさわしい圧力計を備えたガスであり、前記ガスＲ４１０Ａは、通路用バルブを介して前記圧縮機モータ（６）に導引され、前記圧縮機モータは、前記ガスＲ４１０Ａを循環回路に導引することを特徴とする、請求項１に記載の製品を最速で冷却または冷凍する産業にも適用できる家電製品（１）。
【請求項３】
回路基板（１３）に接続した制御パネルまたはコントロールパネル（１２）を備え、前記パネルから、処理時間、温度およびその他のプログラムされたまたはプログラム可能な行為が選択されることを特徴とし、空気と共に機能するあらゆる家電製品と同じく、前記家電製品（１）の前記内部空間で提供された機能を損なわずに空気が出て行くことのできる解放領域（１９）を、前記圧縮機モータ（６）の領域内に有することも特徴とする、請求項１または２のうちいずれか一項に記載の製品を最速で冷却または冷凍する産業にも適用できる家電製品（１）。
【請求項４】
前記装置（１）に内蔵された第２のフィルタ（１０）を備え、前記第２の脱水フィルタ（１０）は、前記蒸発器（５）のすぐ後ろにキャピラリ管なしで戦略的に配置され、戦略的に配置されて前記ガスＲ４１０Ａの粒子または分子を再び配列するという目的を有し、ガスが粒子および分子を再び整った状態で前記圧縮機モータ（６）に入ることで、前記圧縮機モータ（６）は、前記粒子または分子を再び配列する必要がなく、冷却サイクルと呼ばれるものは、約１０分間継続するため、前記ガスは、再び回路に直接送られ、これによって冷却または冷凍行程が劇的に速まり、前記家電製品（１）は、わずか６分で２５℃から−４０℃になり、清涼飲料水または食品（２０）の缶をわずか５分で２５℃から７℃に冷却でき、現在ある従来のシステムを用いて清涼飲料水または食品の缶を２５℃から７℃に冷却すると１時間１５分かかるのと比較して、前記方法では、冷却または冷凍が、現在公知の任意の方法よりも１５倍速くなり、最大の冷却効率が得られることを特徴とする、請求項１〜３のうちいずれか一項に記載の製品を最速で冷却または冷凍する産業にも適用できる家電製品（１）。
【手続補正３】
【補正対象書類名】図面
【補正対象項目名】全図
【補正方法】変更
【補正の内容】
【図１】
2014505852.tif 000011
【図２】
2014505852.tif 000012
【図３】
2014505852.tif 000013
【図４】
2014505852.tif 000014
【図５】
2014505852.tif 000015
【手続補正書】
【提出日】平成25年12月26日(2013.12.26)
【手続補正１】
【補正対象書類名】明細書
【補正対象項目名】全文
【補正方法】変更
【補正の内容】
【書類名】明細書
【発明の名称】製品を最速で冷却または冷凍する産業にも適用できる家電製品
【０００１】
追加の目的
本明細書の追加の目的は、この場合、本発明の目的である家電製品に内蔵される、進歩性のある二重フィルタリングシステムに関し、このシステムによって、例えば飲料、缶詰、瓶、食品などの製品をわずか数分で急速に冷却できる。
家庭の使用にも、製品を素早く冷却する必要のあるバー、レストラン、アイスクリーム店などの産業界の使用にも適用できる。
【０００２】
圧縮機モータ（１５）、凝縮器（２７）および蒸発用蛇管（１３）を備える新規な家電製品には、戦略的に配置された二重フィルタリングシステム（２６）が追加されており、このシステムは、ガスが圧縮機モータ（１５）に戻る前に第２のフィルタ（２６）を取り付けて、この素早い冷却を可能にするものであり、これは、この追加の段落で言及し、次に特許請求するものである。冷却時間を加速する目的で考案されたこの二重フィルタリング（２６）を適用することによって、飲料または食品を素早く冷たい状態にできる必要性、緊急性に関わる問題を解決することができる。
【０００３】
【技術分野】
本発明の適用範囲には、一般的特徴を備え、飲料または食品などの製品を素早く冷却して、日々の業務および研究業務を簡易化する目的を有する家庭、産業およびホテルレストラン業での使用が含まれ、大小の家電製品の製造に位置づけられる部門、ならびに一般に流体および液体または気体のような物質を取り入れる役割を果たすダクトシステムの生産および開回路または閉回路内の蛇管の生産に従事する製造部門も含まれる。
【０００４】
【背景技術】
現時点では、これらの特徴を持つシステム、このシステムに関連する先行技術および／または関連請求項の存在を認知していないため、本明細書に追加するように、その使用は完全に進歩性のあるものである。
【０００５】
【発明の概要】
蒸発用蛇管（１３）と圧縮機モータ（１５）への入口との間に配置される、第２の脱水フィルタを使用することで、ガス状態の変換プロセスが３倍まで加速される。つまり、液体から気体になるまでの冷却の速度および速さがこのように最適になる。
本明細書に追加する前の最初の特許出願で既に言及した内容に、均質かつ急速な冷却を発生させるためには、二重フィルタリングシステム（２つ以上のフィルタ）が不可欠であり、このシステムを用いて、最大のエネルギー効率および素子の保存が達成されることを追加する。
【０００６】
本発明の動作
圧縮機モータ（１５）の役割は、熱力学的作用によってガスを凝縮器（２７）の方へ押し出すことであり、凝縮器では、高温で圧縮され、熱量の検証が行われ、この熱量は、後に（通風機を介して）大気へ向かって排出される。
【０００７】
冷却サイクルでは、ガスは、凝縮器（２７）を通過すると、明らかに気体状態になり、高圧で完全に圧縮される（高圧システム）。
【０００８】
第１の脱水フィルタ（２６）に到達すると、その先はキャピラリ管になる。キャピラリ管の役割は、ガスを分解して分子の配列を乱し、高圧から低圧へと状態を変化させることである。すると、ガスは液状になり、これによって冷気が生成し始める。
戻って液状で循環する際に、組み入れられた第２の脱水フィルタ（２６）を通過し（追加の目的）、圧縮機モータに入る際は、すでに気体状態で入る。その時点で達成されるのは、冷気の流れの修正である。この熱状態と冷気状態のサイクルを３倍まで加速するが、これはすべて、二重フィルタリングを内蔵した進歩性のあるシステムによるものである。なぜなら、従来の装置では、第１のフィルタであって、現在まで冷却システムを備えている唯一のフィルタが、凝縮器の後ろから出ていた、つまり、凝縮器（２７）の出口へ出て、キャピラリ管に接続されて、その分子を乱していたからである。
今度は、圧縮機モータとキャピラリとの間に配置された唯一のフィルタのほかに、さらに別のフィルタを加え、これを蒸発用蛇管（１３）とコンプレッサ装置（１５）との間に配置する。
【０００９】
要約：冷却サイクルでは、高圧システムおよび低圧システムがある。この進歩性のあるシステムによって、そのプロセスを３倍まで加速できる。
【００１０】
従来の冷却サイクルの図
従来の冷却サイクルと引用した二重フィルタリングを有する家電製品の冷却サイクルを、図Ａおよび図Ｂで比較する。  
図Ａ
【００１１】
2014505852.tif 000016
【００１２】
二重フィルタリングを有する家電製品の冷却サイクルの図
図Ｂ
【００１３】
2014505852.tif 000017
【００１４】
これ（フィルタ）は、第２の脱水フィルタの位置またはシステムであり、進歩性のあるものとして特許請求する追加の要因である。
【手続補正２】
【補正対象書類名】特許請求の範囲
【補正対象項目名】全文
【補正方法】変更
【補正の内容】
【特許請求の範囲】
【請求項１】
断湿性で耐火性の絶縁パネル（２）、またはその他の絶縁材を覆う金属板の支持材（３）からなる閉鎖用の壁（４）で構成されて、前記壁（４）は、例えば家電製品（１）の後部に固定された三角材（５）を介して、互いに組み立てられて容器または内部空間（６）を形成し、常に開口を備えて、該開口に、蝶番の付いたドアまたはスライドによって引き出すことができるドア（７）が設置されることを特徴とする、製品を最速で冷却または冷凍する産業にも適用できる家電製品（１）。
【請求項２】
前記家電製品（１）自体を形成する前記壁（４）の全部または一部の内面にタービン（８）を内蔵し、全空気（９）を内部空間（６）の方へ繰り返し誘導すること、ならびに、圧縮機モータ（１５）に直接接続される入口（１４）および出口（１６）を備える蛇管（１３）を内蔵し、タービン（８）と全内部空間（６）の境界を規定する多孔板（１１）との間に配備される空間またはチャンバ（１２）に前記蛇管（１３）を収容し、前記内部空間内にある回転台（２５）の上に、最高実行速度で冷却または冷凍したい食品または飲料（２４）が配置されるほか、前記蛇管（１３）を、前記空気（９）をさらに一層効率的に内部空間（６）に分散する無数のハニカム孔を有するラジエータまたは凝縮器に組み込まれた蛇管（１３）に単純に入れ替えることが可能であり、チューブ状または包囲状で、ハニカム孔があるまたはなく、いずれの場合でもガス（１０）が流れる蛇管（１３）に連結している、ラジエータまたは凝縮器からなるその他の構成も可能であることを特徴とする、請求項１に記載の製品を最速で冷却または冷凍する産業にも適用できる家電製品（１）。
【請求項３】
好ましくは、冷却材として用いられるガス（１０）は、Ｒ４１０Ａと称するガス（１０）、または、特別に前記ガス（１０）が消失した場合に、できる限り同等の特徴を有するガスであって、安全バルブ（１９）に加えて前記ガス（１０）Ｒ４１０Ａの高圧にふさわしい特別な圧力計（２０）を備えたボンベまたはカートリッジ（１７）に入ったガスであり、前記カートリッジ（１７）は、導管（１８）を介して前記圧縮機モータ（１５）に連結され、これによって、入口（１４）および出口（１６）を介して前記蛇管（１３）に連結され、これが前記ガス（１０）Ｒ４１０Ａの流れる回路となり、前記ガスは、適切であれば、および前記家電製品（１）の寿命を延長するために、鉱油ではない、例えばポリエステル油またはポリビニルエーテル油などの油と混合されることができることを特徴とする、請求項１または２に記載の製品を最速で冷却または冷凍する産業にも適用できる家電製品（１）。
【請求項４】
回路基板（２２）に接続した制御パネルまたはコントロールパネル（２１）を備え、前記パネルから、処理時間、温度およびその他のプログラムされたまたはプログラム可能な行為が選択されることを特徴とし、空気（９）と共に機能するあらゆる家電製品と同じく、家電製品（１）の内部空間（６）で提供された機能を損なわずに空気（９）が出て行くことのできる解放領域（２３）を有することも特徴とする、請求項１〜３のうちいずれか一項に記載の製品を最速で冷却または冷凍する産業にも適用できる家電製品（１）。
【請求項５】
追加の目的である進歩性のある二重フィルタリングシステム（２６）であって、飲料または食品、例えば、缶詰、瓶、ケーキなど（２４）の製品をわずか数分で極めて急速に冷却できる家庭用または産業用に使用する前記装置（１）に内蔵され、家庭用およびバー、レストラン、アイスクリーム店などの商業用の使用に適用でき、これらの場所で、素早く冷却するのに役立つことができる二重フィルタリングシステム（２６）を特徴とし、本特許の冒頭ですでに言及した請求項で構成されることを特徴とし、進歩性のある前記二重フィルタリングシステム（２６）が内蔵され、前記二重フィルタリングシステムは、蒸発用蛇管（１３）から出る導管に特別に組み立てられ、冷却を速める工程の相対時間における速度を生み出し、サイクル時間を短縮し、請求項１〜４のうちいずれか一項に記載の最速で冷却する産業にも適用できるシステムは、前記工程および冷却機能を速めるために不可欠なシステムであることを特徴とし、前記システムは、最大の効率および均質な冷却を達成するために、２つ以上のフィルタを備えることができ、本発明の本請求項に記載した用語は、常に広範囲な性質を持ち、非限定的なものであるととらえるものとする、請求項１〜４のうちいずれか一項に記載の製品を最速で冷却または冷凍する産業にも適用できる家電製品（１）。
【手続補正３】
【補正対象書類名】図面
【補正対象項目名】全図
【補正方法】変更
【補正の内容】
【図１】
2014505852.tif 000018
【図２】
2014505852.tif 000019
【図３】
2014505852.tif 000020
【図４】
2014505852.tif 000021
【図５】
2014505852.tif 000022
【図６】
2014505852.tif 000023
【国際調査報告】
2014505852.tif 000024
2014505852.tif 000025
2014505852.tif 000026
2014505852.tif 000027
2014505852.tif 000028
2014505852.tif 000029